(57)【要約】【課題】  タイマ予約時間を設定できない時刻に設定しても、簡単な操作で予約時刻を設定でき、利便性の向上を図ることができる。【解決手段】  予約設定キーにより記憶装置から記憶された時刻を呼び出してタイマ調理のための時刻設定を行なう時、設定された時刻が選択されたメニューの調理所要時間より遅い時刻から、現在時刻に所定の時間を加えた時刻より早い時刻の設定可能時刻かどうかを判断し、設定可能時間でない場合は別の設定可能時刻を表示するようにし、この時刻で調理を開始するか、あるいはこの時刻を基に時間設定キーを操作して所望の時刻を設定し調理を開始するかする構成とした。【選択図】  図１
2005040484.tif 000002
【特許請求の範囲】
【請求項１】
ヒータを有する焼成室と、前記焼成室内に着脱自在に装着しうるパン焼き型と、前記パン焼き型の内底部に設けられモータにより駆動される練り羽根と、前記焼成室内の温度を検知する温度検知部と、パン焼き制御を行う制御装置と、現在時刻の計時を行う計時手段と、予め出来上がり時刻を記憶する記憶装置と、調理メニューの選択を行うメニューキーと、タイマ調理のために出来上がりの時刻を設定する予約設定キー及び時間設定キーと、調理を開始するスタートキーからなる操作部と、現在時刻、出来上がり時刻、および選択されたメニュー等を表示する表示手段とを備え、予約設定キーにより記憶装置から記憶された時刻を呼び出してタイマ調理のための時刻設定を行うとき、設定された時刻が選択されたメニューの調理所要時間より遅い時刻から現在時刻に所定の時間を加えた時刻より早い時刻までの設定可能時刻かどうかを判断し、設定可能時刻でない場合は別の設定可能時刻を表示するようにした自動製パン器。
【請求項２】
別の設定可能時刻は、調理所要時間より遅い時刻から、現在時刻に所定の時間を加えた時刻より早い時刻までの設定可能時間より短い間隔で複数の時刻が記憶装置に記憶されており、予約設定キーを押すたびに設定可能時刻を選択表示する請求項１記載の自動製パン器。
【請求項３】
予約設定キーを操作すると記憶装置に記憶された前回調理した予約時刻が表示されるが、この予約時刻が設定可能時刻ではないと判断した場合には調理可能な設定可能時刻の最も早い時間に設定される請求項１記載の自動製パン器。
【請求項４】
予約設定キーを操作すると記憶装置に記憶された前回調理した予約時刻が表示されるが、この予約時刻が設定可能時刻ではないと判断した場合には調理可能な設定可能時刻の最も遅い時間に設定される請求項１記載の自動製パン器。
【請求項５】
予約設定キーを操作して設定可能な予約時間が表示された時に、表示された時刻を点滅させる請求項１記載の自動製パン器。
【請求項６】
予約設定キーを操作すると、記憶装置に記憶された予約時刻が表示されるが、この予約時刻が設定可能時刻でなかった場合には、一時的にこの予約時刻と設定禁止時刻であることを表示した後に調理可能な設定可能時刻に設定される請求項１記載の自動製パン器。
【請求項７】
記憶装置には以前に調理した複数の予約時刻を記憶しておき新しいものから順番に呼び出され、予約時刻が設定可能時刻であったらこれを表示し、そうでなかった場合には次の予約時刻が表示される請求項１記載の自動製パン器。
【請求項８】
記憶装置には以前に調理した複数の予約時刻を記憶しておき使用頻度の高いものから順番に呼び出され、予約時刻が設定可能時刻であったらこれを表示し、そうでなかった場合には次の予約時刻が表示される請求項１記載の自動製パン器。
【発明の詳細な説明】
【技術分野】
【０００１】
本発明は一般家庭で使用する自動製パン機に関し、特に予約時間の設定に関するものである。
【背景技術】
【０００２】
以下に、従来例の自動製パン機について説明する。
【０００３】
図１２は自動製パン機の模式図であり、１は焼成室、２はパン焼き型、３は練り羽根、４は練り羽根３を回転させるモータ、５は焼成のためのヒータ、６は焼成室１を開閉する蓋、７は焼成室１内の温度を検知する温度検知手段、８は温度検知手段７から温度信号を受けてモータ４やヒータ５を制御する制御回路、９は調理内容や条件等を設定する操作部であり、１０は操作部９内に設けられた表示手段である。
【０００４】
以上のように構成された自動製パン機において、従来は図１３に示すように現在時刻「９：００」のときに、調理メニューを選択し、予約設定キーによりタイマ調理のために記憶された予約時刻「１２：００」を呼び出した時、呼び出された時刻が選択されたメニューを調理するのに必要な時間、例えば４時間より早い時刻の場合や、被調理物が腐敗するのを防ぐために予め定めた現在時刻に所定の時間を加えた時刻より遅い場合には、スタートキーを操作してもスタートできないようにしていた。
【０００５】
このような予約時間の設定方式は自動製パン機の初期の製品から使用されてきている。また、自動製パン機以外では炊飯器関係で検討された（例えば特許文献１参照）。
【特許文献１】特開昭６０−５０４８２号公報
【発明の開示】
【発明が解決しようとする課題】
【０００６】
しかし、このような方法では設定された時刻が選択されたメニューの調理所要時間より早い時刻の場合や、設定された時刻が現在時刻に所定の時間を加えた時刻より遅い場合、せっかく時刻設定したのにスタートキーを操作してもスタートせず、時刻設定をやり直す必要があり、煩わしく使い勝手が悪く、また、スタートしないことにより、機器が故障したのかと思われることもあった。
【０００７】
本発明は、前記従来の課題を解決するもので、予約設定キーにより記憶装置から記憶された時刻を呼び出してタイマ調理のための時刻設定を行うとき、設定された予約時刻が設定可能時刻でない場合であっても、簡単な操作で予約時刻を設定できるとともに、機器が故障だと誤認識しないようにした自動製パン機を提供することを目的とする。
【課題を解決するための手段】
【０００８】
この目的を達成する為に、本発明の自動製パン機は、予約設定キーにより記憶装置から記憶された時刻を呼び出してタイマ調理のための時刻設定を行う時、設定された時刻が選択されたメニューの調理所要時間より遅い時刻から、現在時刻に所定の時間を加えた時刻より早い時刻の設定可能時刻かどうかを判断し、設定可能時間でない場合は別の設定可能時間を表示するようにした。
【０００９】
これによって、間違った時間帯にタイマセットをしてスタートキーを操作してスタートできないことで機器が故障したと思ったり、設定時間を簡単に設定できるので、正しくセットし直す煩わしさを無くしたりすことができる。
【発明の効果】
【００１０】
以上のように、請求項１〜８に記載の発明によれば、予約設定キーにより記憶装置から記憶された時刻を呼び出してタイマ調理のための時刻設定を行うとき、設定された予約時刻が設定可能時刻でない場合であっても、簡単な操作で予約時刻を設定でき、利便性の向上を図ることができる。
【発明を実施するための最良の形態】
【００１１】
請求項１に記載の発明は、ヒータを有する焼成室と、前記焼成室内に着脱自在に装着しうるパン焼き型と、前記パン焼き型の内底部に設けられモータにより駆動される練り羽根と、前記焼成室内の温度を検知する温度検知部と、パン焼き制御を行う制御装置と、現在時刻の計時を行う計時手段と、予め出来上がり時刻を記憶する記憶装置と、調理メニューの選択を行うメニューキーと、タイマ調理のために出来上がりの時刻を設定する予約設定キー及び時間設定キーと、調理を開始するスタートキーからなる操作部と、現在時刻、出来上がり時刻、および選択されたメニュー等を表示する表示手段とを備え、予約設定キーにより記憶装置から記憶された時刻を呼び出してタイマ調理のための時刻設定を行うとき、設定された時刻が選択されたメニューの調理所要時間より遅い時刻から現在時刻に所定の時間を加えた時刻より早い時刻までの設定可能時刻かどうかを判断し、設定可能時刻でない場合は別の設定可能時刻を表示するようにした。
【００１２】
この構成により、予約設定キーにより記憶装置から記憶された時刻を呼び出してタイマ調理のための時刻設定を行う時、設定された時刻が選択されたメニューの調理所要時間より遅い時刻から、現在時刻に所定の時間を加えた時刻より早い時刻の設定可能時刻かどうかを判断し、設定可能時刻でない場合は別の設定可能時刻を表示するようにしたので、慣れない使用者がタイマ調理を設定してスタート操作をした時に、機器がスタートできないということで不便を感じたり、機器が故障したと誤認識することがないという効果を有する。
【００１３】
請求項２に記載の発明は、特に、請求項１に記載の別の設定可能時刻を調理所要時間より遅い時刻から、現在時刻に所定の時間を加えた時刻より早い時刻までの設定可能時間より短い間隔で複数の時刻が記憶装置に記憶されており、予約設定キーを押すたびに設定可能時刻を選択表示するようにした。
【００１４】
これにより、調理所要時間より遅い時刻から、現在時刻に所定の時間を加えた時刻より早い時刻までの設定可能時間より短い間隔で複数の時刻が記憶装置に記憶されており、予約設定キーを押すたびに設定可能時刻を選択表示するので、設定される可能性の高い設定時間を記憶装置に記憶し、予約設定キーにより設定可能時刻を呼び出すことができ、慣れない使用者がタイマ調理を設定してスタート操作をした時に、機器がスタートできないということで不便を感じたり、面倒なタイマ設定に不便を感じたりすることがないという効果を有する。
【００１５】
請求項３に記載の発明は、特に、請求項１に記載の構成において、予約設定キーを操作すると記憶装置に記憶された前回調理した予約時刻が表示されるが、この予約時刻が設定可能時刻ではないと判断した場合には調理可能な設定可能時刻の最も早い時間に設定されるようにした。これにより、予約時刻が設定可能時刻でなかった場合でも時キーと分キーを操作して、例えば最も早い時間から遅い時間に向けて時間設定を行うので時間設定が分かりやすく、比較的短時間に希望の予約時刻に設定することができるという効果を有する。
【００１６】
請求項４に記載の発明は、予約設定キーを操作すると前記記憶装置に記憶された前回調理した予約時刻が表示されるが、この予約時刻が設定可能時刻ではないと判断した場合には調理可能な設定可能時刻の最も遅い時間に設定されるようにした。これにより、予約時刻が設定可能時刻でなかった場合でも、例えば時キーと分キーが増加方向のみとすると、１回時キーか分キーを操作すると設定可能時刻の最も早い時間になり、後は最も早い時間から遅い時間に向けて時間設定を行なうので時間設定が分かりやすく、予約キーを押す前と後とで明確に表示時間が異なるので分かりやすいという効果を有する。
【００１７】
請求項５に記載の発明は、特に、請求項１記載の構成において、予約設定キーを操作して予約時刻が表示された時に、表示された時刻を点滅することにより、設定可能時間の最も早い時刻が表示された時に、予約設定キーを押す前と後とで明確に表示状態が異なるので時刻表示が同じであっても分かりやすく、また、使用者が意図した時刻と異なる時刻が表示された場合にも使用者に設定し直すことを促すという効果を有する。
【００１８】
請求項６に記載の発明は、特に、請求項１に記載の構成において、予約設定キーを操作すると、記憶装置に記憶された予約時刻が表示されるが、この予約時刻が設定可能時刻でなかった場合には、一時的にこの予約時刻が設定禁止時刻であることを表示した後に、調理可能な設定可能時刻に設定されることにより、記憶された予約時刻が設定禁止時刻であることを確認して、設定可能な時刻に設定し直すことができるという効果を有する。
【００１９】
請求項７に記載の発明は、特に、請求項１に記載の構成において、記憶装置には以前に調理した複数の予約時刻を記憶しておき、新しいものから順番に呼び出し、予約時刻が設定可能時刻であったらこれを表示し、そうでなかった場合には次の予約時刻を表示し、記憶された予約時刻が設定禁止時刻となる確率を少なくし、使用者の使い勝手を向上させるという効果を有する。
【００２０】
請求項８に記載の発明は、特に請求項１に記載の構成において、記憶装置には以前に調理した複数の予約時刻を記憶しておき、使用頻度の高いものから順番に呼び出し、予約時刻が設定可能時刻であったらこれを表示し、そうでなかった場合には次の予約時刻を表示することにより、記憶された予約時刻が設定禁止時刻となる確率を少なくし、使用者の使い勝手を向上させるという効果を有する。
【実施例１】
【００２１】
以下本発明の実施例について、図面を参照しながら説明する。
【００２２】
本実施例の基本構成は従来例と同じなので異なる点を中心に説明する。また、従来例と同じ機能には同じ符号を付しその説明は省略する。
【００２３】
本実施例が従来例と異なる点は、従来例が予約時間を記憶装置から呼び出したとき、呼び出した時間が設定可能時刻でないとき操作キーを操作してもスタートしないため、初めから設定をし直さなければならなかったのに対して、本実施例では、予約時間を記憶装置から呼び出したとき、呼び出した時間が設定可能時刻でないときは別の設定可能時刻を表示し、新たに表示された設定可能時刻にしたがってスタートするか、新たに表示された設定可能時刻の時刻を変更してスタートするかするようにした点が異なる。以下、具体的な実施例にもとずいて説明する。
【００２４】
（実施例1）
図１は実施例１における自動製パン機の調理開始操作の流れ図であり、図２は自動製パン機の操作部９の平面図である。また図３および図４は操作部９の変化を示す流れ図である。
【００２５】
先ず、図２を用いて本実施例に関わる自動製パン機の操作部９の構成について説明する。図２において、１１は調理メニューを選択するメニューキー、１２はタイマ予約をセットする予約設定キー、１３は予約時間の設定で時間の単位を１時間づつ増加させる時キー、１４は分の単位を１０分づつ増加させる分キー、１５は即時調理ないしタイマ調理をスタートさせるスタートキー、１６は調理がスタートしたら点灯する調理ランプ、１７は調理を取り消したり設定をクリアーしたりするための取消キー、１８は「現在時刻」の文字が点灯した状態では現在時刻を、「出来上り時刻」の文字が点灯した状態では調理終了時刻やタイマ予約時刻を表す時間表示である。
【００２６】
次に、調理開始操作について説明する。図２において、まずメニューキーで調理メニューを選択し、予約設定キーを押すと記憶装置に予め記憶された時刻が呼び出され、設定可能時刻かどうか判断されて設定可能時刻であればそのまま表示され、そうでなければ別の設定可能時刻が表示され、その後、時キー、分キーで望みの時間に予約時間を設定し、スタートキーにより調理をスタートする。
【００２７】
ここで、設定可能時刻とは、現在時刻に選択された調理メニューの調理所要時間を加えた時刻から、現在時刻に所定の時間、例えば１３時間を加えた時刻である。ちなみに、１３時間はタイマ調理をするため、調理材料が腐敗しないために設定可能な最大時間を設定したものである。
【００２８】
図３および図４により具体的な表示状態で説明する。図３の（１）に示すように現在時刻「９：００」の時点で、食パンを調理するとき、まずメニューキーで食パンを選択すると、食パンを調理するのに必要な時間が４時間であるので、（２）のように、現在時刻に調理に必要な４時間を加えた「１３：００」を出来上がり時刻として表示する。次に、予約設定のため予約キーを押すと記憶装置に予め記憶された時刻が呼び出される。
【００２９】
予め記憶された時間が「１８：００」であった場合、「１８：００」は調理時間の４時間後より後で、調理可能最大時間の１３時間後よりも前の時刻なので、（３）に示すように「１８：００」が表示され、スタートキーを操作すると、「１８：００」に食パンが出来上がるようにタイマ調理がスタートする。
【００３０】
しかし、予め記憶された時間が「１２：００」であった場合、「１２：００」は調理時間の４時間後より前の時刻なので、この時間に調理を完了させることは不可能なので設定禁止時間となり、予約設定キーを操作すると図５の（３）に示すように６時間後の「１５：００」が表示され、「１２：００」は予約時間として設定できなくなる。６時間後というのはアンケートなどの調査の結果より得られた設定する可能性の高い時間の少し早い時間ということで決定している。しかし、この時間に限定されるものではない。この後、出来上がり時刻が「１５：００」のままで問題なければスタートキーを操作し、「１５：００」に食パンが出来上がるように調理がスタートする。もし、「１５：００」が不都合であれば時キーおよび分キーを操作して別の時間に設定することができるが、調理可能最大時間である１３時間後の２２時を超える時刻から調理時間であるの４時間後の１３時より早い時刻までは設定禁止時間として時キーおよび分キーを操作してもその時間帯を表示されないようにしてある。
【００３１】
以上のように設定禁止時間には設定することができず、予め記憶された予約時刻が設定禁止時間であった場合は、別の設定可能時間に設定しなおしてスタートすることにより、慣れない使用者がタイマ調理を設定してスタート操作をした時に、機器がスタートできないということで説明書を読み直して設定し直したり、機器が故障したと誤解したりするようなことがない。
【００３２】
なお、本実施例では予約時間の設定にあったって、時キーは１時間づつまた分キーは１０分づつ増加するようにしているが、これに限定されるものではなく、他の時間間隔であっても良い。特に、分キーは１０分間隔でなくても、例えば１分間隔であっても、数分間隔であっても良い。ただ時間間隔が短くなると、時間を設定するのに時間がかかる場合が生じる。したがって、実用的には本実施例のように１０分程度が妥当である。なお、このことは以下の実施例においても同様である。
【００３３】
（実施例２）
図５は本実施例における自動製パン機の操作部９の変化を表す流れ図である。なお、実施例１と同じ構成なのでその説明は省略する。
【００３４】
図５において、（１）に示すように現在時刻「９：１５」の時点で、食パンを調理するとき、まずメニューキーで食パンを選択すると（２）のように、調理時間の４時間後の「１３：１５」を出来上がり時刻として表示する。
【００３５】
次に（３）において、前回調理により予め記憶された時間が「１２：００」であった場合、「１２：００」は調理時間の４時間後より前であり設定禁止時間となり、予約設定キーを操作すると「１２：００」は全く表示せずに、記憶装置に予め記憶された「５：００」、「１２：００」、「１８：００」、「２１：００」の中から設定可能時刻である「１８：００」と「２１：００」の内現在時刻に近い方から表示する。従ってまず「１８：００」が表示され、次にもう一度予約設定キーが操作されると「２２：００」が表示される。
【００３６】
この後、出来上がり時刻が「２２：００」のままで問題なければスタートキーを操作し、「２２：００」に食パンが出来上がるように調理がスタートする。
【００３７】
もし、「２２：００」が望みの時間でなければ、時間設定キーで設定し直すこともできる。
【００３８】
ここで、記憶装置に予め記憶された「５：００」、「１２：００」、「１８：００」、「２１：００」の時刻は、それぞれの時刻の間隔が８時間以下である。一方、調理時間が４時間に対して、タイマ調理可能な最長時間が１３時間なので、設定可能時間は１３−４＝９時間である。従って、それぞれの時刻の間隔は設定可能時間９時間以下に設定され、現在時刻がどのような時刻に設定されても予め記憶された４つの時間のうちのいずれかは必ず設定可能時間になり、どれも設定不可能ということがないようにしている。
【００３９】
また、それぞれが朝食、昼食、夕食の最も可能性の高い時間に設定されており、予約設定キーの操作だけでも目的のタイマ設定時刻に設定することが可能となり、多少の時間のずれがあった場合でも少ない時間設定キーの操作で目的の時間に設定することができる。
【００４０】
（実施例３）
図６は本実施例における自動製パン機の操作部９の変化を表す流れ図である。なお、実施例１と同じ構成なのでその説明は省略する。
【００４１】
図６の（１）に示すように現在時刻「９：１５」の時点で、食パンを調理するとき、まずメニューキーで食パンを選択すると（２）のように、調理時間の４時間後の「１３：１５」を出来上がり時刻として表示する。
【００４２】
次に（３）において、予め記憶された時間が「１２：００」であった場合、「１２：００」は調理時間の４時間後より前であり設定禁止時間となり、予約設定キーを操作すると「１２：００」は全く表示せずに、最も早い時間である４時間後の「１３：１５」の１分の桁が繰り上がった「１３：２０」が表示される。この後出来上がり時刻が「１３：２０」のままで問題なければスタートキーを操作し、「１３：２０」に食パンが出来上がるように調理がスタートする。
【００４３】
もし、「１３：２０」が不都合であれば時キーおよび分キーを操作して別の時間に設定することができるが、時間表示が「１３」の場合、分キーは１回の操作により１０分毎に増加し、「３０」、「４０」、「５０」を表示し、禁止時刻となる「００」及び、「１０」を表示せずに「２０」に戻る。
【００４４】
時キーは「１３」から１時間毎に増加し、調理可能最大時間である１３時間後の「２２」まで増加するが、次は設定禁止時刻を越えて「１３」となる。即ち、設定禁止時刻は時キーおよび分キーを操作してもその時間帯を表示されないようにしてある。
【００４５】
以上のように予約時刻が設定可能時刻ではないと判断した場合には調理可能な設定可能時刻の最も早い時間に設定されることにより、予約時刻が設定可能時刻でなかった場合にも時キーと分キーが増加方向のみであり、分キーは１０分毎の増加なので最も早い時間から遅い時間に向けて時間設定を行なうので時間設定が分かりやすく、比較的短時間に希望の予約時刻に設定することができるので使用者の使い勝手が良くなる。
【００４６】
（実施例４）
図７は本実施例における自動製パン機の操作部９の変化を表す流れ図である。なお、実施例１と同じ構成なのでその説明は省略する。
【００４７】
図７の（１）に示すように現在時刻「９：１５」の時点で、食パンを調理するとき、まずメニューキーで食パンを選択すると（２）のように、調理時間の４時間後の「１３：１５」を出来上がり時刻として表示する。
【００４８】
次に（３）において、メニューキーで予め記憶された時間が「１２：００」であった場合、「１２：００」は調理時間の４時間後より前であり設定禁止時間となり、予約設定キーを操作すると「１２：００」は全く表示せずに、設定可能時間の最も遅い時間である１３時間後の「２２：１５」の１分の桁が繰り下がった「２２：１０」が表示される。この後出来上がり時刻が「２２：１０」のままで問題なければスタートキーを操作し、「２２：１０」に食パンが出来上がるように調理がスタートする。
【００４９】
以上のように予約時刻が設定可能時刻ではないと判断した場合には調理可能な設定可能時刻の最も遅い時間に設定されることにより、予約時刻が設定可能時刻でなかった場合にも時キーと分キーが増加方向のみであり、１回時キーか分キーを操作すると設定可能時刻の最も早い時間になり、後は最も早い時間から遅い時間に向けて時間設定を行なうので時間設定が分かりやすく、予約キーを押す前と後とで明確に表示時間が異なるので分かりやすく使い勝手が良くなる。
【００５０】
（実施例５）
図８は本実施例における自動製パン機の操作部９の変化を表す流れ図である。なお、実施例１と同じ構成なのでその説明は省略する。
【００５１】
図８の（１）に示すように現在時刻「９：１５」の時点で、食パンを調理するとき、まずメニューキーで食パンを選択すると（２）のように、調理時間の４時間後の「１３：１５」を出来上がり時刻として表示する。
【００５２】
次に（３）において、予め記憶された時間が「１２：００」であった場合、「１２：００」は調理時間の４時間後より前であり設定禁止時間となり、予約設定キーを操作すると「１２：００」は全く表示せずに、最も早い時間である４時間後の「１３：２０」が表示される。この時「１３：２０」の表示を点滅させ、使用者に時刻表示に注目させ、時刻を変更するかどうか判断し、出来上がり時刻が「１３：２０」のままで問題なければそのままスタートキーを操作し、時間を変更したいと思えば、時キーおよび分キーを操作して（４）に示すように「１５：１０」等の別の時間に設定することができる。
【００５３】
以上のように予約時刻が表示された時に、表示された時刻を点滅させることにより、設定可能時間の最も早い時刻が表示された時に、予約設定キーを押す前と後とで全く同じ時刻が表示されることがあり、キーを受け付けたかどうかもわからない状態もあるが、時刻表示の点滅により明確に表示状態が異なるので時刻表示が同じであっても分かりやすく、また、使用者が意図した時刻と異なる時刻が表示された場合にも使用者に設定しなおすことを促すことができ使い勝手が向上する。
【００５４】
（実施例６）
図９は本実施例における自動製パン機の操作部９の変化を表す流れ図である。なお、実施例１と同じ構成なのでその説明は省略する。
【００５５】
図９の（１）に示すように現在時刻「９：１５」の時点で、食パンを調理するとき、まずメニューキーで食パンを選択すると（２）のように、調理時間の４時間後の「１３：１５」を出来上がり時刻として表示する。
【００５６】
次に、予め記憶された時間が「１２：００」であった場合、「１２：００」は調理時間の４時間後より前なので、この時間に調理を完了させることは不可能なので設定禁止時間となり、予約設定キーを操作すると（３）に示すように「１２：００」を設定禁止時刻として「設定禁止」表示と共に一時的に表示した後、調理時間の４時間後以降の「１３：２０」が表示され、「１２：００」が予約時間として設定できなくなる。この後出来上がり時刻が「１３：２０」のままで問題なければスタートキーを操作し、「１３：２０」に食パンが出来上がるように調理がスタートする。もし、「１３：２０」が不都合であれば時キーおよび分キーを操作して別の時間に設定することができる。
【００５７】
以上のように、予約時刻が設定可能時刻でなかった場合には、一時的にこの予約時刻と設定禁止時刻であることを表示した後に調理可能な設定可能時刻に設定されることにより、記憶された予約時刻が設定禁止時刻であることを確認して、設定可能な時刻に設定し直すことができ、使い勝手が向上する。
【００５８】
（実施例７）
図１０は本実施例における自動製パン機の操作部９の変化を表す流れ図である。なお、実施例１と同じ構成なのでその説明は省略する。
【００５９】
記憶装置には過去に調理した時に設定した予約時刻が３回分記憶されており、例えば最も最近記憶された第１の予約時刻が「１２：００」であり、その前の第２の予約時刻が「６：００」であり、さらにその前の第３の予約時刻が「１７：００」であったとする。
【００６０】
図１０の（１）に示すように現在時刻「９：１５」の時点で、食パンを調理するとき、まずメニューキーで食パンを選択すると（２）のように、調理時間の４時間後の「１３：１５」を出来上がり時刻として表示する。
【００６１】
次に、予約設定キーを操作すると、まず第１の予約時刻「１２：００」は調理時間の４時間後より前なので、この時間に調理を完了させることは不可能なので設定禁止時間となり、次の第２の予約時刻「６：００」も同じく設定禁止時間であり、次の第３の予約時刻「１７：００」は設定禁止時間ではないのでこの時間が表示される。出来上がり時間がこのままで問題なければスタートキーを操作し、「１７：００」に食パンが出来上がるように調理がスタートする。もし、「１７：００」が不都合であれば時キーおよび分キーを操作して別の時間に設定することができる。
【００６２】
以上により、記憶された予約時刻が設定禁止時刻となる確率を少なくし、使用者の使い勝手を向上させることができる。
【００６３】
（実施例８）
図１１は本実施例における自動製パン機の操作部９の変化を表す流れ図である。なお、実施例１と同じ構成なのでその説明は省略する。
【００６４】
記憶装置には過去に調理した時に設定した予約時刻が３回分記憶されており、例えば最も多く設定された時刻が「１２：００」であり、これを第１の予約時刻とし、その次に多かった時刻が「６：００」であり、これを第２の予約時刻とし、さらにその次に多かった時刻が「１７：００」であり、これを第３の予約時刻とする。
【００６５】
図１１の（１）に示すように現在時刻「９：１５」の時点で、食パンを調理するとき、まずメニューキーで食パンを選択すると（２）のように、調理時間の４時間後の「１３：１５」を出来上がり時刻として表示する。
【００６６】
次に、予約設定キーを操作すると、まず第１の予約時刻「１２：００」は調理時間の４時間後より前なので、この時間に調理を完了させることは不可能なので設定禁止時間となり、次の第２の予約時刻「６：００」も同じく設定禁止時間であり、次の第３の予約時刻「１７：００」は設定禁止時間ではないのでこの時間が表示される。出来上がり時間がこのままで問題なければスタートキーを操作し、「１７：００」に食パンが出来上がるように調理がスタートする。もし、「１７：００」が不都合であれば時キーおよび分キーを操作して別の時間に設定することができる。
【００６７】
以上により、記憶された予約時刻が設定禁止時刻となる確率を少なくし、使用者の使い勝手を向上させることができる。
【００６８】
実施例では予約時刻の設定にあたって時キーおよび分キーを操作すると、時間および分が増加していく場合について述べたが、これに限定されるものではなく、時間および分が減少していく場合でも、または、増加と減少の両方を行えるようにしてもよいのは勿論である。
【図面の簡単な説明】
【００６９】
【図１】本発明の実施例１における自動製パン機調理開始操作の流れ図
【図２】同自動製パン機の操作部の平面図
【図３】同自動製パン機の操作部の変化を示す流れ図
【図４】同自動製パン機の操作部の変化を示す流れ図
【図５】本発明の実施例２における自動製パン機の操作部の変化を示す流れ図
【図６】本発明の実施例３における自動製パン機の操作部の変化を示す流れ図
【図７】本発明の実施例４における自動製パン機の操作部の変化を示す流れ図
【図８】本発明の実施例５における自動製パン機の操作部の変化を示す流れ図
【図９】本発明の実施例６における自動製パン機の操作部の変化を示す流れ図
【図１０】本発明の実施例７における自動製パン機の操作部の変化を示す流れ図
【図１１】本発明の実施例８における自動製パン機の操作部の変化を示す流れ図
【図１２】自動製パン機の模式図
【図１３】従来例の自動製パン機の操作部の変化を示す流れ図
【符号の説明】
【００７０】
１  焼成室
２  パン焼き型
３  練り羽根
４  モータ
５  ヒータ
７  温度検知部
８  制御装置
９  操作部
１０  表示部（表示手段）
１１  メニューキー
１２  予約設定キー
１３、１４  時刻設定キー
１５  スタートキー
【図１】
2005040484.tif 000003
【図２】
2005040484.tif 000004
【図３】
2005040484.tif 000005
【図４】
2005040484.tif 000006
【図５】
2005040484.tif 000007
【図６】
2005040484.tif 000008
【図７】
2005040484.tif 000009
【図８】
2005040484.tif 000010
【図９】
2005040484.tif 000011
【図１０】
2005040484.tif 000012
【図１１】
2005040484.tif 000013
【図１２】
2005040484.tif 000014
【図１３】
2005040484.tif 000015